(57)【要約】【課題】梱包が容易な吊り下げ具を提供する。【解決手段】吊り下げ具１を、シート状の吊り下げ具本体１１で構成する。吊り下げ具本体１１に米櫃の内側面に貼着される貼着部２１を設け、貼着部２１下部に取付穴３１を設ける。取付穴３１へ防虫剤の瓶本体３２の口部３３を挿入可能とする。取付穴３１と貼着部２１間に切り込み部３５を設け、切り込み部３５より切れ目３６を延設する。切れ目３６によって区画された下部構成部４４を下方へ垂下させた際に一点鎖線４５で示した線状となり、展開前の吊り下げ具本体１１上下の長さ寸法より長くなるように構成する。【選択図】        図１
2004202014.tif 000002
【特許請求の範囲】
【請求項１】
シート状の吊り下げ具本体に展開用の切れ目を形成するとともに、前記吊り下げ具本体展開後の形状が展開前にて最も長い部分での寸法より長くなるように前記切れ目を設定したことを特徴とする吊り下げ具。
【請求項２】
前記吊り下げ具本体に、展開した状態で長さ方向一端部に位置する部位に対象箇所に取り付けられる対象箇所取付部を設けるとともに、前記長さ方向他端部に位置する部位に物品が取り付けられる物品取付部を設けたことを特徴とする請求項１記載の吊り下げ具。
【請求項３】
前記対象箇所取付部を、前記対象箇所に貼着される貼着部で構成したことを特徴とする請求項２記載の吊り下げ具。
【請求項４】
前記切れ目端部の延在方向を、前記取付部に取り付けられた物品を吊り下げた状態で当該吊り下げ具本体に加わる荷重の方向と略平行に設定したことを特徴とする請求項２又は３記載の吊り下げ具。
【発明の詳細な説明】
【０００１】
【発明の属する技術分野】
本発明は、物品を吊り下げる際に用いられる吊り下げ具に関する。
【０００２】
【従来の技術】
従来、空間を消臭、脱臭、除湿したり、空間に、芳香、防虫等の薬効を付与するために、消臭剤、脱臭剤、除湿剤、芳香剤、防虫剤等の薬剤が用いられている。そして、これらの薬剤を空間に吊しておくために、薬剤を収納する容器にフックを形成したり、吊り下げ用の吊紐をセットしたりすることが行われている。
【０００３】
【発明が解決しようとする課題】
しかし、薬剤容器にフックを形成することは、容器自体を大型化させてしまい、特に小さい空間に使用する薬剤を収納した容器に適用することはスペースを無駄にしてしまうといった問題を有していた。
【０００４】
また、吊り下げ用の吊紐をセットする場合、該吊紐は、単体で形状維持ができない。このため、セット作業に苦労を要する。さらに、長さ寸法のある吊紐を同梱するには、パッケージに工夫を凝らさなければならない。
【０００５】
本発明は、このような従来の課題に鑑みてなされたものであり、梱包が容易な吊り下げ具を提供することを目的とするものである。
【０００６】
【課題を解決するための手段】
前記課題を解決するために本発明の請求項１の吊り下げ具にあっては、シート状の吊り下げ具本体に展開用の切れ目を形成するとともに、前記吊り下げ具本体展開後の形状が展開前にて最も長い部分での寸法より長くなるように前記切れ目を設定した。
【０００７】
すなわち、吊り下げ具本体は、シート状に形成されており、物品の裏側に配置された状態でパッケージに収容される。
【０００８】
そして、この吊り下げ具本体には、展開用の切れ目が形成されており、展開後には長くなるように構成されている。このため、当該吊り下げ具本体は、物品を吊り下げる紐として利用される。
【０００９】
また、請求項２の吊り下げ具においては、前記吊り下げ具本体に、展開した状態で長さ方向一端部に位置する部位に対象箇所に取り付けられる対象箇所取付部を設けるとともに、前記長さ方向他端部に位置する部位に物品が取り付けられる物品取付部を設けた。
【００１０】
すなわち、吊り下げ具本体を使用する際には、展開した状態で長さ方向の他端部に設けられた物品取付部に物品を取り付けるとともに、長さ方向一端部に設けられた対象箇所取付部を対象箇所に取り付ける。
【００１１】
これにより、前記物品は、当該吊り下げ具を介して、対象箇所に揺動自在に吊り下げられる。
【００１２】
さらに、請求項３の吊り下げ具では、前記対象箇所取付部を、前記対象箇所に貼着される貼着部で構成した。
【００１３】
これにより、前記物品は、吊り下げ具本体の一端に設けられた貼着部が対象箇所に貼着された状態で、当該吊り下げ具を介して、対象箇所に揺動自在に吊り下げられる。
【００１４】
さらに、請求項４の吊り下げ具にあっては、前記切れ目端部の延在方向を、前記取付部に取り付けられた物品を吊り下げた状態で当該吊り下げ具本体に加わる荷重の方向と略平行に設定した。
【００１５】
すなわち、吊り下げ具本体に設けられた切れ目端部の延在方向は、物品を吊り下げた際に加わる荷重の方向と略平行に設定されている。このため、前記荷重の切れ目端部への集中が防止される。
【００１６】
【発明の実施の形態】
（第１の実施の形態）
【００１７】
以下、本発明の第１の実施の形態を図に従って説明する。本実施の形態は、米櫃や米収納容器内に設置し、米に繁殖する害虫を防除する米用防虫剤を例に挙げて説明するものであり、図１は、本実施の形態にかかる吊り下げ具１を示す図で、この吊り下げ具１は、図２にも示すように、物品である防虫剤２を吊り下げるものである。
【００１８】
該吊り下げ具１は、シート状の吊り下げ具本体１１からなり、図１中、縦長に形成されている。この吊り下げ具本体１１は、長繊維で構成された不織布によって形成されおり、不織布は繊維の方向性の無いものが好ましいが、本実施の形態では、繊維方向が横向きとなるように不織布が使用されている。
【００１９】
前記吊り下げ具本体１１は、上部が切欠した楕円形状に形成されており、上縁部には、粘着テープが設けられている。これにより、吊り下げ具本体１１の上端部には、対象箇所である米櫃の内側面に貼着される対象箇所取付部である貼着部２１が形成されており、粘着性を有する貼着部２１は、剥離紙２２によって剥離可能の覆われている。
【００２０】
前記貼着部２１の下部には、円形の物品取付部としての取付穴３１が中心より左寄りに開設されており、該取付穴３１の内径は、図２に示したように、防虫薬剤を収容した瓶本体３２の口部３３より大径であって、該口部３３に螺着される穴付きのキャップ３４及び瓶本体３２より小径に設定されている。この取付穴３１と前記貼着部２１間の左縁部には、図１に示したように、切り込み部３５が切り欠かれており、該切り込み部３５より展開用の切れ目３６が延設されている。
【００２１】
この切れ目３６は、前記取付穴３１の沿って形成された左方に開口する円弧状の第１湾曲部４１と、前記取付穴３１の下部にて切り換えされ右方に開口する円弧状に形成された第２湾曲部４２とによって構成されており、該第２湾曲部４２は、前記第１湾曲部４１より小さめに形成されている。この切れ目３６によって前記吊り下げ具本体１１は、前記貼着部２１が設けられた上部構成部４３と、前記取付穴３１が設けられた下方構成部４４とに区画されてり、該下部構成部４４を、前記第２湾曲部４２が形成された部位にて下方へ垂下させた展開後に、図１中一点鎖線４５で示した線状となり展開前の吊り下げ具本体１１上下の長さ寸法より長くなるように構成されている。
【００２２】
そして、前記切れ目３６の端部５１の延在方向５２は、当該吊り下げ具本体１１の右縁に沿うように設定されており、図２に示したように、前記取付穴３１に前記防虫剤２を取り付けて吊り下げた状態で当該吊り下げ具本体１１に生じる荷重方向５３と略平行に設定されている。
【００２３】
以上の構成にかかる本実施の形態において、吊り下げ具本体１１は、シート状に形成されており、図２のセット状態６１に示したように、当該吊り下げ具１を防虫剤２の裏側に立て掛けた状態で説明書と共にパッケージに収容することができる。
【００２４】
また、この吊り下げ具本体１１には、展開用の切れ目３６が形成されており、展開して長くすることができる。このため、当該吊り下げ具本体１１を、防虫剤２を吊り下げる紐として利用することができる。
【００２５】
したがって、長さ寸法を有しかつ単体での形状維持が不可能な吊紐を防虫剤２と同梱する場合と比較して、パッケージに工夫を凝らすことなく、梱包作業が容易となる。
【００２６】
この吊り下げ具１を使用する際には、図２の中取付状態６２に示したように、防虫剤２の瓶本体３２からキャップ３４を外し、露出した口部３３を吊り下げ具本体１１の取付穴３１に挿入した後、前記口部３３にキャップ３４を螺着する。これにより、前記瓶本体３２とキャップ３４間に前記取付穴３１の開口縁部を保持し、前記吊り下げ具１に防虫剤２を取り付ける。
【００２７】
そして、吊り下げ具本体１１に貼着された剥離紙２２を剥離して貼着部２１を露出し、該貼着部２１を米櫃の内側面に貼り付ける。すると、図２中の吊り下げ状態６３に示したように、吊り下げ具本体１１の下部構成部４４が防虫剤２の重さで垂下して展開状態となり、前記防虫剤２が米櫃の内側面に吊り下げられる。
【００２８】
このとき、前記防虫剤２は、前記貼着部２１から前記取付穴３１までの長さを有する線状の吊り下げ具１によって揺動自在に吊り下げられる。なおかつ、前記吊り下げ具１は、湾曲した切れ目３６で分割されることにより、吊下状態６３において螺旋状に延在する。このため、真っ直ぐに垂下する吊紐に吊り下げられる場合と比較して、前記防虫剤２のより大きな揺動を可能とすることができる。
【００２９】
これにより、米を取る手が吊り下げられた防虫剤２と干渉し、該防虫剤２に外力が加えられる場合であっても、展開された吊り下げ具本体１１が揺動することで、この外力を吸収することができる。よって、弱い貼着力であっても、米櫃の内側面から剥離すること無く、防虫剤２の吊り下げ状態を維持することができる。
【００３０】
さらに、吊り下げ具本体１１に設けられた切れ目３６端部５１の延在方向は、防虫剤２吊り下げ時に加わる荷重方向５３と略平行に設定されており、荷重の切れ目３６端部５１への集中を防止することができる。
【００３１】
これにより、切れ目３６端部５１からの不用意な切り裂けを防止することができ、吊り下げ本体１１の薄肉化及び部材コストの低廉化を図ることができる。
【００３２】
なお、前記吊り下げ本体１１の形状は、前述した形状に限定されるものでは無い。
【００３３】
（第２の実施の形態）
【００３４】
すなわち、図３の吊り下げ具１０１に示すように、吊り下げ本体１０２を円形状に形成し、その中央部に円形の取付穴１０３を開設する。この吊り下げ本体１０２に、渦巻状の切れ目１０４を形成し、その端部に、剥離紙１０５で覆われた貼着部１０６を設けても良い。
【００３５】
（第３の実施の形態）
【００３６】
また、図４の吊り下げ具２０１に示すように、吊り下げ本体２０２を正方形状に形成し、その中央部に円形の取付穴２０３を開設する。そして、この吊り下げ本体２０２に、矩形螺旋状の切れ目２０４を形成し、その端部に、剥離紙２０５で覆われた貼着部２０６を設けても良い。
【００３７】
【発明の効果】
以上説明したように本発明の請求項１の吊り下げ具にあっては、シート状に形成された吊り下げ具本体を物品の裏側に配置した状態でパッケージに収容することができる。
【００３８】
そして、この吊り下げ具本体には、展開用の切れ目が形成されており、展開して長くすることができる。このため、当該吊り下げ具本体を、物品を吊り下げる紐として利用することができる。
【００３９】
したがって、長さ寸法を有し単体での形状維持が不可能な吊紐を物品と同梱する場合と比較して、パッケージに工夫を凝らすことなく、梱包作業が容易となる。
【００４０】
また、請求項２の吊り下げ具においては、物品取付部に物品を取り付けるとともに、対象箇所取付部を対象箇所に取り付けることで、前記物品を、当該吊り下げ具を介して、対象箇所に揺動自在に吊り下げることができる。
【００４１】
これにより、吊り下げられた物品に手などが干渉して外力が加わる場合であっても、展開された吊り下げ具本体が揺動することで、この外力を吸収することができる。
【００４２】
さらに、請求項３の吊り下げ具では、物品取付部に物品を取り付けるとともに、対象箇所取付部を対象箇所に貼着することで、前記物品を、当該吊り下げ具を介して、対象箇所に揺動自在に吊り下げることができる。
【００４３】
これにより、吊り下げられた物品に手などが干渉して外力が加わる場合であっても、展開された吊り下げ具本体が揺動することで、この外力を吸収することができる。よって、弱い貼着力であっても、物品の吊り下げ状態を維持することができる。
【００４４】
加えて、請求項４の吊り下げ具にあっては、吊り下げ具本体に設けられた切れ目端部の延在方向が、物品吊り下げ時に加わる荷重方向と略平行に設定されており、荷重の切れ目端部への集中を防止することができる。
【００４５】
これにより、切れ目端部からの不用意な切り裂けを防止することができ、吊り下げ本体の薄肉化及び部材コストの低廉化を図ることができる。
【図面の簡単な説明】
【図１】本発明の第１の実施の形態を示す平面図である。
【図２】同実施の形態の使用形態を示す説明図である。
【図３】本発明の第２の実施の形態を示す平面図である。
【図４】本発明の第３の実施の形態を示す平面図である。
【符号の説明】
１    吊り下げ具
２    防虫剤（物品）
１１    吊り下げ具本体
２１    貼着部（対象箇所取付部）
３１    取付穴（物品取付部）
５１    端部
５２    延在方向
５２    荷重方向
６１    セット状態
６２    取付状態
６３    吊り下げ状態
１０１    吊り下げ具
１０２    吊り下げ本体
１０３    取付穴（物品取付部）
１０４    切れ目
１０５    貼着部（対象箇所取付部）
２０１    吊り下げ具
２０２    吊り下げ本体
２０３    取付穴（物品取付部）
２０４    切れ目
２０５    貼着部（対象箇所取付部）
【図１】
2004202014.tif 000003
【図２】
2004202014.tif 000004
【図３】
2004202014.tif 000005
【図４】
2004202014.tif 000006